(57)【特許請求の範囲】
【請求項１】
建物の壁に形成した開口部に固定された矩形の点検口枠に、同じく矩形の点検口蓋を着脱可能に取り付けてなる建物壁の点検口であって、
前記点検口枠の一辺部と点検口蓋の対応する一辺部とは、点検口蓋を前記一辺部側を点検口枠の前記一辺部に向けてスライドさせた時に、蓋面と直交する方向の動きを拘束するように互いに係合する差込係合構造を有し、
点検口蓋の前記一辺部と反対側の他辺部と、前記点検口枠の前記一辺部と反対側の他辺部とは、点検口蓋側に取り付けた、下端に大径の基端部を持つ軸部の先端に膨大部を有する係合ロッドと、点検口枠側に取り付けた、弾性的に開閉可能な対向する一対のキャッチ片を有して、前記係合ロッドの先端の膨大部が開状態の前記キャッチ片間に押し込まれた時に、前記膨大部を前記一対のキャッチ片で挟持するキャッチ装置本体とからなるキャッチ装置により互いに係合する構成であり、
前記係合ロッドは、その基端部が点検口蓋側に設けた取付穴に、前記軸部と直交する方向及び軸部の長手方向に僅かに動くことが可能な遊びを持つ態様で取り付けられており、
前記キャッチ装置本体は、前記一対のキャッチ片を備えたキャッチ機構部とこのキャッチ機構部を収容するケースとからなり、
前記キャッチ機構部は、前記開閉可能な一対のキャッチ片を備えて前記ケース内をスライド可能なスライダと、このスライダを前方に付勢するスライダ付勢ばねと、前記係合ロッドで押し込まれた前記スライダが前記スライダ付勢ばねの反力に抗してケース内の後退位置まで移動した時にスライダをその後退位置にロックし、ロックされた後に再びスライダに押し込み力が作用した時にスライダに対する前記ロック状態を解除するロック・ロック解除機構とを備え、
前記一対のキャッチ片は、前記スライダと共に後退する際にケース内面により直接又は間接的に先端側がそれぞれ内側に押されて閉じて前記係合ロッドの膨大部を把持し、スライダのロックが解除されてスライダが前記スライダ付勢ばねで付勢されて前方に移動する際にケース内面からの拘束から放れて開き前記係合ロッドを開放する構成であることを特徴とする建物壁の点検口。
【請求項２】
前記差込係合構造は、前記点検口枠の一辺部の近傍に当該一辺と平行な突部又は凹部を形成し、点検口蓋の対応する一辺部の近傍に、点検口枠の前記一辺部近傍の突部又は凹部と係合する凹部又は突部を形成してなることを特徴とする請求項１記載の建物壁の点検口。
【発明の詳細な説明】
【技術分野】
【０００１】
この発明は、建物の壁に配線や配管などの点検のために設けられる点検口に関する。
【背景技術】
【０００２】
建物の壁に配線や配管などの点検のために設けられる点検口は一般に、壁に形成した点検用の開口部に矩形の点検口枠を取り付け、この点検口枠に点検口蓋を取り付けた構造とされる。
【０００３】
従来の点検口として、図示は省略するが、例えば特許文献１のように、周囲に蓋枠１４を持つ点検口蓋３側にマグネット２１を取り付け、点検口枠２側に鋼板１２を取り付けて、マグネット２１の鋼板１２に対する吸着力で点検口蓋３を点検口枠２に着脱可能に取り付けるものがある（特許文献１の図４など参照（符号は特許文献における符号））。
【０００４】
また、特許文献２のように、合成樹脂製の点検口枠（本体１）の周囲に薄肉ヒンジ部５を介して蓋押さえ片（押えカバー片６）を設け、この蓋押さえ片６で点検口蓋（閉塞用部材Ａ）の縁部を蓋外面側から押える構造とすることも行なわれている（特許文献２の図３、図４など参照）。
この構造では、点検口枠１の外周部の縦壁２の上端に内側張り出し部４０及び外側部分４１を形成し、前記外側部分４１に薄肉ヒンジ部５を介して連接した前記蓋押さえ片６に、前記内側張り出し部４０の下面側に係合可能なフック部６０を設けている。蓋押さえ片６を閉ざして点検口蓋Ａの端縁部を押えた時に、前記フック部６０が点検口枠１の内側張り出し部４０に係合することにより、蓋押さえ片６が点検口蓋Ａを押えた状態でロックされる。
【０００５】
特許文献３は、点検口枠３の断面形状を、点検口枠本体部（支持部５）の内側に点検口蓋４の端縁部を挟持する部分を有し外側に壁材１の開口縁部を挟持する部分を有する断面形状として、下地材を不要とした構造である。
点検口蓋４の端縁部を挟持する部分には、蓋押さえ片（口蓋挟持板８）を薄肉ヒンジ部１５を介して点検口枠本体部５に連接し、壁材１の開口縁部を挟持する部分には、壁押さえ片（壁材挟持板７）を薄肉ヒンジ部１５を介して点検口枠本体部５に連接した構造としている（特許文献３の図１、図４、図５など参照）。
【０００６】
特許文献４のように、ばねを用いた取付構造のものもある。特許文献４は、壁部の胴縁１３で形成された開口部２に、矩形の枠体４に蓋体３を取り付けた蓋付き枠体を取り付ける構造であり、前記枠体４の下端に、金属線を折り曲げて形成したばね部材である枠体下部支持部材８を取り付け、枠体の上端近傍の左右両側部に、金属線を折り曲げて形成した二股状ばね部材である枠体側部支持部材１１を取り付け、前記開口部２を形成する胴縁１３に、前記枠体側部支持部材１１を係合させる長穴である係合孔１４ｂを持つ係合部材１４を取り付けた構造である。
蓋付き枠体の下端の枠体下部支持部材８を開口部２の下端内側に引掛け、上部の枠体側部支持部材１１を前記係合部材１４の係合孔１４ｂに引っ掛けて、蓋付き枠体４を開口部２に取り付ける。
【先行技術文献】
【特許文献】
【０００７】
【特許文献１】特開２００７−２９１６９７
【特許文献２】実用新案登録第３１２０９３４号
【特許文献３】特開２０００−１７９１４１
【特許文献４】特開２００５−２００８２５
【発明の概要】
【発明が解決しようとする課題】
【０００８】
上記特許文献１のようにマグネットの吸着力による取付方式では、点検口蓋３が点検口枠２から外れないように確実に取り付けることができるとは言い難い。例えば地震などの振動によって外れる危険性を考慮して、落下防止用紐２２を設けているが、地震などの振動によっても外れない構造が望まれる。
【０００９】
特許文献２のように、点検口枠１に薄肉ヒンジ部５を介して蓋押さえ片６を連接する構造は、樹脂の薄肉ヒンジ部５は破損し易いので、耐久性に欠けると言える。
また、点検口蓋Ａを点検口枠１に固定する作業として、矩形の点検口枠１の四辺のそれぞれにおいて蓋押さえ片６で点検口蓋Ａを押える操作する必要があり、また、点検口蓋を外す場合も同様であり、点検口蓋Ａの着脱作業が煩雑である。
上記のような問題は、同じく薄肉ヒンジ部を介して連接した蓋押さえ片を有する特許文献３のものでも同様である。
【００１０】
特許文献４のようにばねを用いた取付構造では、どうしても部品点数が多くなり構造が複雑になる。また、着脱作業も煩雑である。
また、この構造では、蓋体３を枠体４に取り付けた蓋付き枠体が実質的に点検口蓋になるので、実質的な点検口蓋（蓋付き枠体）の重量が大となり、その点でも点検口の開閉が簡単でなくなる。
【００１１】
また、特許文献１〜４のいずれの構造も点検口蓋を取り外す際には、点検口蓋の表面に掴み部はないから、点検口蓋の一辺部を、その端縁と点検口枠との間の隙間に先の尖った道具などを引っ掛けて点検口枠から引き離した後に、取り外すものと思われるが、取り外しの作業が容易であるとは言い難い。
【００１２】
ところで、家電機器などにおいて、筐体にヒンジされた扉に、先端に膨大部を有する係合ロッドを取り付け、筐体側に弾性的に開閉可能な対向する一対のキャッチ片を有して前記係合ロッドの先端の膨大部を挟持するキャッチ装置本体を設けたキャッチ装置がしばしば使用されている。
この種のキャッチ装置として、扉を押して閉ざした時に、係合ロッドの先端の膨大部がキャッチ装置本体の一対のキャッチ片で挟持されて扉が開かないようにロックされ、扉を再び押した時には、前記一対のキャッチ片が開いて係合ロッドの膨大部が開放されロック解除される、いわゆるプッシュプッシュ型のキャッチ装置がある。
このプッシュプッシュ型のキャッチ装置を建物壁の点検口に採用すると、簡単な操作で点検口蓋を開閉することができる。しかし、従来、プッシュプッシュ型のキャッチ装置は点検口には採用されていない。その理由は色々考えられるが、このプッシュプッシュ型のキャッチ装置は、地震などの振動により係合ロッドの膨大部が一対のキャッチ片から外れてしまう恐れがあるということがあると思われる。また、プッシュプッシュ型のキャッチ装置は筐体にヒンジされた扉に用いるものという先入観もあるかと思われる。
【００１３】
本発明は上記従来の欠点を解消して、点検口蓋を点検口枠にみだりに外れないように確実に取り付けることができ、点検口蓋の着脱作業を簡単に行なうことができ、特に点検口蓋が単純な構造ですみかつ軽量化され、薄肉ヒンジ部のような耐久性に欠ける部分がなく、さらに部品点数が少なく構造が簡単で安価に製作することができる建物壁の点検口を提供することを目的とする。
【課題を解決するための手段】
【００１４】
上記課題を解決する請求項１の発明は、建物の壁に形成した開口部に固定された矩形の点検口枠に、同じく矩形の点検口蓋を着脱可能に取り付けてなる建物壁の点検口であって、
前記点検口枠の一辺部と点検口蓋の対応する一辺部とは、点検口蓋を前記一辺部側を点検口枠の前記一辺部に向けてスライドさせた時に、蓋面と直交する方向の動きを拘束するように互いに係合する差込係合構造を有し、
点検口蓋の前記一辺部と反対側の他辺部と、前記点検口枠の前記一辺部と反対側の他辺部とは、点検口蓋側に取り付けた、下端に大径の基端部を持つ軸部の先端に膨大部を有する係合ロッドと、点検口枠側に取り付けた、弾性的に開閉可能な対向する一対のキャッチ片を有して、前記係合ロッドの先端の膨大部が開状態の前記キャッチ片間に押し込まれた時に、前記膨大部を前記一対のキャッチ片で挟持するキャッチ装置本体とからなるキャッチ装置により互いに係合する構成であり、
前記係合ロッドは、その基端部が点検口蓋側に設けた取付穴に、前記軸部と直交する方向及び軸部の長手方向に僅かに動くことが可能な遊びを持つ態様で取り付けられており、
前記キャッチ装置本体は、前記一対のキャッチ片を備えたキャッチ機構部とこのキャッチ機構部を収容するケースとからなり、
前記キャッチ機構部は、前記開閉可能な一対のキャッチ片を備えて前記ケース内をスライド可能なスライダと、このスライダを前方に付勢するスライダ付勢ばねと、前記係合ロッドで押し込まれた前記スライダが前記スライダ付勢ばねの反力に抗してケース内の後退位置まで移動した時にスライダをその後退位置にロックし、ロックされた後に再びスライダに押し込み力が作用した時にスライダに対する前記ロック状態を解除するロック・ロック解除機構とを備え、
前記一対のキャッチ片は、前記スライダと共に後退する際にケース内面により直接又は間接的に先端側がそれぞれ内側に押されて閉じて前記係合ロッドの膨大部を把持し、スライダのロックが解除されてスライダが前記スライダ付勢ばねで付勢されて前方に移動する際にケース内面からの拘束から放れて開き前記係合ロッドを開放する構成であることを特徴とする。
【００１５】
請求項２は、請求項１の建物壁の点検口において、前記差込係合構造は、前記点検口枠の一辺部の近傍に当該一辺と平行な突部又は凹部を形成し、点検口蓋の対応する一辺部の近傍に、点検口枠の前記一辺部近傍の突部又は凹部と係合する凹部又は突部を形成してなることを特徴とする。
【発明の効果】
【００１６】
本発明によれば、点検口蓋の点検口枠への取付手段として、点検口蓋の一辺部側を点検口枠の対応する一辺部に向けてスライドさせることで点検口蓋の一辺部側を拘束する差込係合構造を有し、他辺部側はいわゆるプッシュプッシュ型のキャッチ装置で係合させる構造なので、点検口蓋の一辺部側を点検口枠の一辺部側にスライドさせ、次いで点検口蓋の他辺部側を押すという極めて簡単な操作で、点検口蓋を点検口枠に取り付けることができる。
また、点検口蓋を取り外す際には、点検口蓋の他辺部側を押すだけで係合ロッドの膨大部のロックが解除され、次いで点検口蓋を他辺部側に引くという極めて簡単な操作で、点検口枠から取り外すことができる。
また、点検口蓋の平坦な表面を押すことで点検口枠から外すことができるので、従来構造のように、点検口蓋の一辺部を先の尖った道具などを用いて点検口枠から引き離した後に取り外すものと比べて、取り外し作業が極めて容易である。
このように、いわばワンタッチで点検口蓋の着脱を行なうことができるので、点検口蓋の着脱作業が極めて容易である。
【００１７】
また、特許文献２や特許文献３のように、点検口枠の四辺のそれぞれにおいて蓋押さえ片を操作するという、煩雑な操作が不要であるという点でも、点検口蓋の着脱作業が極めて容易である。
【００１８】
また、特許文献４のようにばねを用いる煩雑な構造と比較すると、点検口蓋の取り外し作業が一層容易である。
また、本発明では、点検口蓋の本体が単なる矩形の平板なので、特許文献４のように蓋付き枠体が実質的に点検口蓋である構造と比べて、点検口蓋が軽量であり、その点でも点検口蓋の開閉が容易である。
【００１９】
係合ロッドを扉などに固定的に設ける一般的なプッシュプッシュ型のキャッチ装置の場合、地震などの振動により係合ロッドの膨大部が一対のキャッチ片から外れてしまう恐れがあるが、本発明では、係合ロッドの基端部が点検口蓋側に設けた取付穴に、軸部と直交する方向及び軸部の長手方向に僅かに動くことが可能な遊びを持つ態様で取り付けられているので、振動に対して係合ロッドの基端部の若干の動きが許容されることで、膨大部が一対のキャッチ片に挟持された状態を維持することができる。したがって、地震などの振動に対して点検口蓋が外れる恐れは少ない。
【００２０】
特許文献２や特許文献３のように、点検口枠が薄肉ヒンジ部を持つ構造と異なり、薄肉ヒンジ部が破損し易く耐久性に欠けるという問題はない。
【００２１】
本発明において、キャッチ装置及び差込係合構造を除けば、点検口蓋の本体が周囲に枠などのない単なる平板であり、点検口枠の本体も基本的には、例えば、下地材に取り付けられる平坦部と点検口蓋を囲む立上り部を有する断面形状でよいので、いずれも極めて簡単な形状で済み、また、部品点数も少なく済み、安価な点検口を得ることができる。
【図面の簡単な説明】
【００２２】
【図１】本発明の一実施例の建物壁の点検口の正面図である。
【図２】（イ）は図１における点検口蓋を外した状態の正面図、（ロ）は点検口蓋を下側に裏返して示した図、（ハ）は（ロ）のＢ−Ｂ断面図である。
【図３】図１の幅方向中間部を省略して示したＡ−Ａ拡大断面図である。
【図４】図３におけるＣ部の拡大図である。
【図５】図３におけるキャッチ装置のＤ矢視拡大図である。
【図６】（イ）は図５のキャッチ装置におけるケースを切り欠いて、ロック状態の内部構造を示した図、（ロ）は（イ）において係合ロッドがキャッチ装置本体から離れているロック解除状態で示した図である。
【図７】キャッチ装置本体の内部構造を補足説明する図であり、（イ）はカム溝を有するスライド部材のみを示した図、（ロ）は（イ）を上から見た図に従動部材を模式的に付加して示した図、（ハ）はスライド部材に形成されるカム溝の深さを模式的に説明する図である。
【図８】本発明の他の実施例の建物壁面用の点検口の図３に対応する図である。
【発明を実施するための形態】
【００２３】
以下、本発明を実施した建物壁の点検口について、図面を参照して説明する。
【実施例１】
【００２４】
図１は本発明の一実施例の建物壁の点検口の正面図、図２の（イ）は図１における点検口蓋を外した状態の正面図、（ロ）は点検口蓋を裏返して示した図、（ハ）は（ロ）のＢ−Ｂ断面図である。図３は図１の幅方向中間部を省略して示したＡ−Ａ拡大断面図である。
この点検口１は、建物の配線や配管などの点検用として建物の壁２に設けられるもので、壁２に形成した開口部３に矩形の点検口枠４を固定し、この点検口枠４に同じく矩形の点検口蓋５を着脱可能に取り付けた構成である。
【００２５】
図示例の壁２は、石膏ボードあるいは珪酸カルシュウム板等による厚いボードによる内側壁材２ａの外面側に薄いボードによる外側壁材２ｂを張り付けた二重構造であり、内側壁材２ａに形成された開口３ａが点検用の開口部３となり、外側壁材２ｂの開口３ａ’は内側壁材２ａの開口３ａより概ね点検口枠４の枠材幅程度広く、外側壁材２ｂの開口端縁で段差になっている。
内側壁材２ａの内面の開口部端縁に図示例では軽量形鋼による下地材６が例えばビスで固定されている。
【００２６】
点検口枠４は樹脂成形品又はアルミ成形品である。点検口枠４の断面形状は、図２、図４に示すように、内側壁材２ａの面に接触する平坦部４ａと、平坦部４ａの内側端縁に、内側壁材２ａの面に対して隙間を形成する態様でＬ形に屈曲させたＬ形部４ｂと、平坦部４ａの外側端縁から立ち上がる立上がり部４ｃと、この立上り部４ｃの先端から外側に折り返される態様で屈曲した折返しカギ形部４ｄとを有する断面形状である。この点検口枠４はビス２５で内側壁材２ａに固定されている。
図示例の点検口枠４の断面形状は四辺とも共通である。
前記Ｌ形部４ｂの先端部４ｂ’は、後述する差込形係合部８の一方を形成する突部として機能する（先端部４ｂ’＝突部４ｂ’）。
【００２７】
一方、点検口蓋５は石膏ボードや珪酸カルシュウム板などであり、蓋本体は周囲に枠を持たない単なる矩形平板であるが、一辺部（図示例では正面図における左辺部）に、点検口枠４に形成した前記Ｌ形部４ｂの先端部すなわち突部４ｂ’が係合する凹部７ａを形成するための凹部形成部材７が接着固定され、他辺部（正面図における右辺部）に後述するキャッチ装置１０の蓋側の部品である係合ロッド１１が取り付けられている。
前記点検口枠４のＬ形部４ｂの先端部である突部４ｂ’と点検口蓋５の前記凹部形成部材７の凹部７ａとは、点検口蓋５を、その一辺部側を点検口枠４の一辺部に向けてスライドさせた時に、蓋面と直交する方向の動きを拘束するように互いに係合する前記差込係合構造８を構成する。
前記凹部形成部材７の上下方向の長さＬは、点検口枠４の上下の内法寸法（内側端縁間の寸法）Ｌ’とほぼ同じであるが僅かに短く、凹部形成部材７が点検口枠４の内側端縁間に嵌合して、点検口蓋５の点検口枠４に対する上下の位置決めをする。したがって、点検口蓋５は、点検口枠４の周囲の立上り部４ｃの内面に対して僅かな隙間ｓ（図１参照）のある態様で、点検口枠４内に保持される。
点検口蓋をスライドさせてその一辺部を点検口枠の一辺部に係合させる差込係合構造は、実施例では、点検口枠４側を突部４ｂ’とし点検口蓋５側を凹部７ａとしたが、逆に、点検口枠４側を凹部とし点検口蓋５側を突部としてもよい（なお、図示例の差込係合構造８も、見方を変えれば、そのように言える）。
また、差込係合構造８を構成する凹部形成部材７は、点検口蓋側をスライドさせることで点検口蓋の一辺部と点検口枠の一辺部とを互いに係合させることができるものであればよく、例えば実施例の長さＬのように長くせずに、短いものでもよい。
【００２８】
前記キャッチ装置１０は、樹脂製のＬ形のキャッチ装置本体取付部材９を下地材６の内側面に接着固定し、このキャッチ装置本体取付部材９にキャッチ装置１０のケース１３と一体のベース部１３ｂを接着固定している。
【００２９】
前記キャッチ装置１０の具体的一例を図５、図６に示す。図５は図３の拡大したＤ矢視図で、キャッチ装置１０はロック状態にある。図６（イ）は図５のキャッチ装置１０のケース１３を切り欠いて示した内部構造図、同図（ロ）はキャッチ装置１０のロック解除状態を示す図である。なお、図５では後述するスライダ付勢ばね１９などは図示を省略している。
このキャッチ装置１０は、点検口蓋５側に取り付けた係合ロッド１１と、点検口枠４側（壁２側ないし下地材６側）に取り付けたキャッチ装置本体１２とからなる。
前記係合ロッド１１は、軸部１１ｃの先端に球状の膨大部１１ａを有し、円板状をなす基端部１１ｂは点検口蓋５側に設けた取付穴１４に遊びを持つ態様で取り付けられている。すなわち、係合ロッド１１は軸部１１ｃと直交する方向、及び軸部１１ｃの長手方向に僅かに動くことができる。
図示例の取付穴１４は、点検口蓋５の内面に接着固定された細長い板状の取付穴形成部材２７に設けられ、係合ロッド１１の軸部１１ｃより径の大きな軸部挿通穴１４ａの奥に、前記円板状の基端部１１ｂより径の大きな基端部収容凹所１４ｂを有して、係合ロッド１１が、前記の通り軸部１１ｃと直交する方向、及び軸部１１ｃの長手方向に僅かに動くことを許容する。前記取付穴形成部材２７の長さは、前記凹部形成部材７の長さＬと同じにしている。したがって、取付穴形成部材２７と凹部形成部材７とがともに点検口蓋５の点検口枠４に対する上下の位置決めをする。
【００３０】
前記キャッチ装置本体１２は、ネジリばね１５により付勢されて弾性的に開閉可能な対向する一対のキャッチ片１６を有するキャッチ機構部１７と、このキャッチ機構部１７を収容する前記ケース１３とからなる。
前記キャッチ機構部１７は、前記開閉可能な一対のキャッチ片１６を備えて前記ケース１３内をスライド可能なスライダ１８と、このスライダ１８を前方に付勢するスライダ付勢ばね１９と、後退したスライダ１８のロック及びロック解除をするカム機構によるロック・ロック解除機構２０とを備えている。
前記ロック・ロック解除機構２０は、前記係合ロッド１１で押し込まれた前記スライダ１８が前記スライダ付勢ばね１９の反力に抗してケース１３内の後退位置（図５、図６（イ）の位置）まで移動した時にスライダ１８をその後退位置にロックし、ロックされた後に再びスライダ１８に押し込み力が作用した時にスライダ１８に対する前記ロック状態を解除するという、カム機構によるロック・ロック解除機構である。すなわち、このキャッチ装置１０はいわゆるプッシュプッシュ型のキャッチ装置である。
ロック・ロック解除機構２０を構成する前記カム機構は、図７（イ）にも示すように、スライダ１８と一体に形成された平板部２４に形成されたハート形のカム溝２２と、一端部２１ａを中心として回動可能に設けられたコ字形線状体による従動部材２１とからなり、従動部材２１の前記カム溝２２に係合する他端部２１ｂがロック・ロック解除機能を果たす。従動部材２１は、図７（ロ）に模式的に示した板ばね２６などにより、常にカム溝２２に係合するようにカム溝２２側に弾性的に付勢されている。
前記カム溝２２は、図７（イ）に示したハート形の一周における２２ａ、２２ｂ、２２ｃ、２２ｄ、２２ｅ、２２ｆの各部分の深さが、図７（ハ）のように変化している。従動部材２１の他端部２１ｂは、ロック解除状態では２２ａの位置にあり、ロック動作において図７（イ）で左向き矢印のように移動し、２２ｄの位置にきて、ロック状態となる。
ロック解除動作の際、従動部材２１の他端部２１ｂは、２２ｄの位置から右向き矢印のように移動して、２２ａのロック解除位置にくる。
【００３１】
点検口蓋５を閉ざす場合、まず、点検口蓋５の一辺部側（係合ロッド１１と反対側）を点検口枠４の一辺部側にスライド（図２（イ）で左方向にスライド）させて、点検口枠４のＬ形部４ｂの先端部（突部４ｂ’）を点検口蓋５の凹部形成部材７の凹部７ａに係合させる。
次いで、点検口蓋５の他辺部側（係合ロッド１１側）を点検口枠４側（壁側）に押し込むと、図６（ロ）の状態にあるキャッチ装置１０における係合ロッド１１の先端の膨大部１１ａが一対のキャッチ片１６間を押し込むことにより、一対のキャッチ片１６及びスライダ１８が後退（図６で上側に移動）する。その際、一対のキャッチ片１６がケース１３の開口側の傾斜面１３ａで案内されて閉じ、図６（イ）のように膨大部１１ａを挟持する。
前記のようにスライダ１８が後退する際に、コ字形の従動部材２１の他端部２１ｂが図７で説明したような動きをし、２２ｄの位置（図６（イ）の位置）にきて、ロック状態となる。その状態では、係合ロッド１１の膨大部１１ａが一対のキャッチ片１６で挟持された状態のままスライダ１８がその位置から戻らないように拘束され、点検口蓋５が閉じた状態にロックされる。
点検口蓋５を開く時は、点検口蓋５の他辺部側（係合ロッド１１側）を押すと、スライダ１８が若干押し込まれて、従動部材２１の他端部２１ｂがカム溝２２の２２ｆの部分に移動して、ロック状態から脱出し、スライダ１８はスライダ付勢ばね１９で付勢されて一対のキャッチ片１６とともに前進し、キャッチ片１６が開いて係合ロッド１１の膨大部１１を開放し、図６（ロ）の状態に戻る。
次いで、点検口蓋５を図１で右方向にスライドさせると、点検口枠４から取り外すことができる。
【００３２】
上記の通り、本発明の点検口１は、点検口蓋５の点検口枠４への取付手段として、点検口蓋５の一辺部側を点検口枠４の対応する一辺部に向けてスライドさせることで点検口蓋５の一辺部側を拘束する差込係合構造８を有し、他辺部側はいわゆるプッシュプッシュ型のキャッチ装置１０で係合させる構造なので、点検口蓋５の一辺部側を点検口枠４の一辺部側にスライドさせ、次いで点検口蓋４の他辺部側を押すという極めて簡単な操作で、点検口蓋５を点検口枠４に取り付けることができる。
また、点検口蓋５を取り外す際には、点検口蓋５の他辺部側を押すだけで係合ロッド１１の膨大部１１ａのロックが解除され、次いで点検口蓋５を他辺部側に引くという極めて簡単な操作で、点検口枠４から取り外すことができる。
また、点検口蓋５の平坦な表面を押すことで点検口枠４から外すことができるので、従来構造のように、点検口蓋の一辺部を先の尖った道具などを用いて点検口枠から引き離した後に取り外すものと比べて、取り外し作業が極めて容易である。
このように、いわばワンタッチで点検口蓋の着脱を行なうことができるので、点検口蓋の着脱作業が極めて容易である。
【００３３】
また、特許文献２や特許文献３のように、点検口枠の四辺のそれぞれにおいて蓋押さえ片を操作するという、煩雑な操作が不要であるという点でも、点検口蓋の着脱作業が極めて容易である。
【００３４】
また、特許文献４のようにばねを用いる煩雑な構造と比較すると、点検口蓋の取り外し作業が一層容易である。
また、本発明では、点検口蓋の本体が単なる矩形の平板なので、特許文献４のように蓋付き枠体が実質的に点検口蓋である構造と比べて、点検口蓋が軽量であり、その点でも点検口蓋の開閉が容易である。
【００３５】
係合ロッドを蓋側に固定的に設ける一般的なプッシュプッシュ型のキャッチ装置の場合、地震などの振動により係合ロッドの膨大部が一対のキャッチ片から外れてしまう恐れがあるが、本発明では、係合ロッド１１の基端部が点検口蓋に設けた取付穴に遊びを持つ態様で取り付けられているので、振動に対して係合ロッド１１の基端部の若干の動きが許容されることで、係合ロッド１１がキャッチ装置本体１２の動きに柔軟に追随し、膨大部１１ａが一対のキャッチ片１６に挟持された状態を維持することができる。したがって、地震などの振動に対して点検口蓋５が外れる恐れは少ない。
【００３６】
特許文献２や特許文献３のように、点検口枠が薄肉ヒンジ部を持つ構造と異なり、薄肉ヒンジ部が破損し易く耐久性に欠けるという問題はない。
【００３７】
本発明において、キャッチ装置１０及び差込係合構造８を除けば、点検口蓋５の本体が周囲に枠などのない単なる平板であり、点検口枠４の本体も基本的には、下地材６に取り付けられる平坦部４ａと点検口蓋を囲む立上り部４ｃとを有する断面形状でよいので、いずれも極めて簡単な形状で済み、また、部品点数も少なく済み、安価な点検口を得ることができる。
【実施例２】
【００３８】
図８に本発明の他の実施例を示す。
この実施例の点検口１Ａは、下地材６Ａの一部が壁２Ａから露出しており、点検口枠４を、下地材Ａの壁２Ａから露出した部分に直接、例えばビスで固定している。そして、Ｌ形のキャッチ装置本体取付部材９を前記下地材６Ａの、点検口枠４から露出した部分に接着固定し、そのキャッチ装置本体取付部材９にキャッチ装置本体１２を接着固定している。
また、図３の実施例では、点検口枠４は立上り部４ｃの先端に折返しカギ形部４ｄを有しており、この折返しカギ形部４ｄが外側壁材２ｂの端縁を隠す形状であるが、図８のように、折返しカギ形部４ｄのない断面形状として、立上り部４ｃの先端が壁２Ａの外面に揃う構成としてもよい。
その他の点は、実施例１の構成と概ね同じである。
【実施例３】
【００３９】
上述の各実施例ではキャッチ装置１０を点検口の右側、差込係合構造８を左側に設けているが、その逆でもよい。
また、実施例ではキャッチ装置１０及び差込係合構造８を点検口の左右に設けたが、点検口の上下に設けてもよい。
【符号の説明】
【００４０】
１  点検口
２、２Ａ  壁
２ａ  内側壁材
２ｂ  外側壁材
３  開口部
３ａ  （内側壁材の）開口
４  点検口枠
４ａ  平坦部
４ｂ  Ｌ形部
４ｂ’  突部（先端部）
４ｃ  立上り部
４ｄ  折返しカギ形部
５  点検口蓋
６、６Ａ  下地材
７  凹部形成部材
７ａ  凹部
８  差込係合構造
９  キャッチ装置本体取付部材
１０  キャッチ装置
１１  係合ロッド
１１ａ  膨大部
１１ｂ  基端部
１１ｃ  軸部
１２  キャッチ装置本体
１３  ケース
１３ａ  傾斜面
１３ｂ  ベース部
１４  取付穴
１４ａ  軸部挿通穴
１４ｂ  基端部収容凹所
１５  ねじりバネ
１６  キャッチ片
１７  キャッチ機構部
１８  スライダ
１９  スライダ付勢ばね
２０  ロック・ロック解除機構
２１  従動部材
２１ａ  一端部
２１ｂ  他端部
２２  カム溝
２４  平板部
２５  ビス
２６  板ばね
２７  取付穴形成部材
【図１】
0005898938.tif 000002
【図２】
0005898938.tif 000003
【図３】
0005898938.tif 000004
【図４】
0005898938.tif 000005
【図５】
0005898938.tif 000006
【図６】
0005898938.tif 000007
【図７】
0005898938.tif 000008
【図８】
0005898938.tif 000009